(57)【要約】【課題】店舗及び駐車場運営事業者双方の事務処理負担を軽減し、かつ店舗毎に独自の割引ルールを設定可能なシステムを提供する。【解決手段】店舗用端末１は割引クーポンの発行可能残高を記憶し、発行可能残高の加増希望額を含む発行要求情報をセンタサーバ４に送信する。センタサーバ４は発行要求情報を受け付け、発行許可情報を店舗用端末１に返信するとともに、発行要求情報に基づいた店舗毎の割引クーポンの発行額を集計して店舗に対する請求金（顧客に提供する割引クーポンの対価）を決定する。他方、店舗用端末１は、顧客に対して発行する割引クーポン額の設定入力を受け付けて記憶し、その割引クーポン額に相当するクーポン情報を顧客の記録媒体５に書き込み、さらに発行した割引クーポン額分だけ発行可能残高を減算する。  【選択図】図１
2009116676.tif 000002
【特許請求の範囲】
【請求項１】
店舗毎に配備した店舗用端末と、店舗を訪れる顧客が所持する記録媒体と、顧客が利用する駐車場の利用料金を精算する精算機と、店舗に対する請求金を決定するセンタサーバとを要素とするシステムであって、
店舗用端末が、
店舗を識別する店舗識別子及び割引クーポンの希望発行額を含む発行要求情報をセンタサーバに向けて送信する要求送信部と、
センタサーバから返信される発行許可情報を受信する許可受信部と、
前記許可受信部で受信した発行許可情報に基づく割引クーポンの発行可能残高を記憶する残高記憶部と、
一の顧客に一時に発行する割引クーポン額の入力を受け付ける入力受付部と、
前記入力受付部で入力を受け付けた割引クーポン額を記憶するクーポン額記憶部と、
前記クーポン額記憶部に記憶した割引クーポン額に相当するクーポン情報を店舗を訪れた顧客の記録媒体に書き込むクーポン書込部と、
前記クーポン書込部を介して発行した割引クーポン額分だけ前記残高記憶部に記憶している発行可能残高を減算する残高更新部と
を具備し、精算機が、
駐車場を利用した顧客の記録媒体に書き込まれているクーポン情報を読み出すクーポン読出部と、
前記クーポン読出部で読み出したクーポン情報に対応した割引額を駐車場利用額から割り引いて顧客から収受すべき料金を算出する収受料金算出部と
を具備し、センタサーバが、
店舗用端末から送信される発行要求情報を受信する要求受信部と、
前記要求受信部で受信した発行要求情報に対する発行許可情報を店舗用端末に向けて返信する許可返信部と、
前記要求受信部で受信した発行要求情報に基づく店舗毎の割引クーポンの発行額を当該店舗を識別する店舗識別子に関連付けて記憶する履歴記憶部と、
前記履歴記憶部に記憶した割引クーポンの発行額を参照して店舗毎の請求金を算出する請求金算出部と
を具備する駐車場システム。
【請求項２】
店舗毎に配備した店舗用端末と、店舗を訪れる顧客が所持する記録媒体と、顧客が利用する駐車場の利用料金を精算する精算機と、店舗に対する請求金を決定するセンタサーバとを要素とするシステムであって、
店舗用端末が、
一の顧客に一時に発行する割引クーポン額の入力を受け付ける入力受付部と、
前記入力受付部で入力を受け付けた割引クーポン額を記憶するクーポン額記憶部と、
店舗を識別する店舗識別子及び前記クーポン額記憶部に記憶した割引クーポン額を含む発行要求情報をセンタサーバに向けて送信する要求送信部と、
センタサーバから返信される発行許可情報を受信する許可受信部と、
前記許可受信部で受信した発行許可情報に基づいて割引クーポン額に相当するクーポン情報を店舗を訪れた顧客の記録媒体に書き込むクーポン書込部と
を具備し、精算機が、
駐車場を利用した顧客の記録媒体に書き込まれているクーポン情報を読み出すクーポン読出部と、
前記クーポン読出部で読み出したクーポン情報に対応した割引額を駐車場利用額から割り引いて顧客から収受すべき料金を算出する収受料金算出部と
を具備し、センタサーバが、
店舗用端末から送信される発行要求情報を受信する要求受信部と、
前記要求受信部で受信した発行要求情報に対する発行許可情報を店舗用端末に向けて返信する許可返信部と、
前記要求受信部で受信した発行要求情報に基づく店舗毎の割引クーポンの発行額を当該店舗を識別する店舗識別子に関連付けて記憶する履歴記憶部と、
前記履歴記憶部に記憶した割引クーポンの発行額を参照して店舗毎の請求金を算出する請求金算出部と
を具備する駐車場システム。
【請求項３】
店舗毎に配備した店舗用端末と、店舗を訪れる顧客が所持する記録媒体と、顧客が利用する駐車場の利用料金を精算する精算機と、店舗に対する請求金を決定するセンタサーバとを要素とするシステムであって、
店舗用端末が、
一の顧客に一時に発行する割引クーポン額の入力を受け付ける入力受付部と、
前記入力受付部で入力を受け付けた割引クーポン額を記憶するクーポン額記憶部と、
店舗を識別する店舗識別子及び前記クーポン額記憶部に記憶した割引クーポン額に相当するクーポン情報を店舗を訪れた顧客の記録媒体に書き込むクーポン書込部と、
を具備し、精算機が、
駐車場を利用した顧客の記録媒体に書き込まれているクーポン情報を読み出すクーポン読出部と、
前記クーポン読出部で読み出したクーポン情報に対応した割引額を駐車場利用額から割り引いて顧客から収受すべき料金を算出する収受料金算出部と、
前記クーポン読出部で読み出したクーポン情報をセンタサーバに向けて送信する利用情報送信部と
を具備し、センタサーバが、
精算機から送信されるクーポン情報を受信する利用情報受信部と、
前記利用情報受信部で受信したクーポン情報に基づく店舗毎の割引クーポンの発行額を当該店舗を識別する識別子に関連付けて記憶する履歴記憶部と、
前記履歴記憶部に記憶した割引クーポンの発行額を参照して店舗毎の請求金を算出する請求金算出部と
を具備する駐車場システム。
【請求項４】
前記記録媒体が電子マネー情報若しくはクレジットカード情報をも記憶し、または、前記記録媒体と電子マネー情報若しくはクレジットカード情報を記憶する記録媒体とが同一物体に実装されており、
前記精算機が、電子マネー情報若しくはクレジットカード情報を記憶した記録媒体との交信を通じて前記収受料金算出部で算出した収受料金を収受する料金収受部をさらに具備している請求項１、２または３記載の駐車場システム。
【請求項５】
加えて、顧客が駐車場を利用する際にその駐車場を識別する駐車場識別子を顧客の記録媒体に書き込む駐車券発行機をも要素とするシステムであって、
前記店舗用端末が、
提携している駐車場を識別する駐車場識別子を記憶する提携駐車場記憶部と、
店舗を訪れた顧客の記録媒体に書き込まれている駐車場識別子を読み出す駐車券読出部とをさらに具備しており、
前記駐車券読出部で読み出した駐車場識別子が前記提携駐車場記憶部に記憶した駐車場識別子の中に含まれていることを条件として、前記クーポン書込部がクーポン情報を顧客の記録媒体に書き込む請求項１、２、３または４記載の駐車場システム。
【請求項６】
加えて、顧客が駐車場を利用する際にその駐車場を識別する駐車場識別子を顧客の記録媒体に書き込む駐車券発行機をも要素とするシステムであって、
前記店舗用端末が、
店舗を訪れた顧客の記録媒体に書き込まれている駐車場識別子を読み出す駐車券読出部と、
前記駐車券読出部で読み出した駐車場識別子をセンタサーバに向けて送信する確認要求送信部と、
センタサーバから返信される確認情報を受信する確認受信部と、
をさらに具備し、前記センタサーバが、
提携している駐車場を識別する駐車場識別子を記憶する提携駐車場記憶部と、
店舗用端末から送信される駐車場識別子を受信する確認要求受信部と、
前記確認要求受信部で受信した駐車場識別子が前記提携駐車場記憶部に記憶した駐車場識別子の中に含まれている場合にその旨を示す駐車場確認情報を店舗用端末に向けて返信する確認返信部とをさらに具備しており、
店舗用端末が前記駐車場確認情報を受信したことを条件として、前記クーポン書込部がクーポン情報を顧客の記録媒体に書き込む請求項１、２、３または４記載の駐車場システム。
【請求項７】
請求項１記載の駐車場システムを構成するために用いられるものであって、
店舗を識別する店舗識別子及び割引クーポンの希望発行額を含む発行要求情報をセンタサーバに向けて送信する要求送信部と、
センタサーバから返信される発行許可情報を受信する許可受信部と、
前記許可受信部で受信した発行許可情報に基づく割引クーポンの発行可能残高を記憶する残高記憶部と、
一の顧客に一時に発行する割引クーポン額の入力を受け付ける入力受付部と、
前記入力受付部で入力を受け付けた割引クーポン額を記憶するクーポン額記憶部と、
前記クーポン額記憶部に記憶した割引クーポン額に相当するクーポン情報を店舗を訪れた顧客の記録媒体に書き込むクーポン書込部と、
前記クーポン書込部を介して発行した割引クーポン額分だけ前記残高記憶部に記憶している発行可能残高を減算する残高更新部と
を具備する店舗用端末。
【請求項８】
請求項１または２記載の駐車場システムを構成するために用いられるものであって、
駐車場を利用した顧客の記録媒体に書き込まれているクーポン情報を読み出すクーポン読出部と、
前記クーポン読出部で読み出したクーポン情報に対応した割引額を駐車場利用額から割り引いて顧客から収受すべき料金を算出する収受料金算出部と
を具備する精算機。
【請求項９】
請求項１または２記載の駐車場システムを構成するために用いられるものであって、
店舗用端末から送信される発行要求情報を受信する要求受信部と、
前記要求受信部で受信した発行要求情報に対する発行許可情報を店舗用端末に向けて返信する許可返信部と、
前記要求受信部で受信した発行要求情報に基づく店舗毎の割引クーポンの発行額を当該店舗を識別する店舗識別子に関連付けて記憶する履歴記憶部と、
前記履歴記憶部に記憶した割引クーポンの発行額を参照して店舗毎の請求金を算出する請求金算出部と
を具備するセンタサーバ。
【請求項１０】
請求項２記載の駐車場システムを構成するために用いられるものであって、
一の顧客に一時に発行する割引クーポン額の入力を受け付ける入力受付部と、
前記入力受付部で入力を受け付けた割引クーポン額を記憶するクーポン額記憶部と、
店舗を識別する店舗識別子及び前記クーポン額記憶部に記憶した割引クーポン額を含む発行要求情報をセンタサーバに向けて送信する要求送信部と、
センタサーバから返信される発行許可情報を受信する許可受信部と、
前記許可受信部で受信した発行許可情報に基づいて割引クーポン額に相当するクーポン情報を店舗を訪れた顧客の記録媒体に書き込むクーポン書込部と
を具備する店舗用端末。
【請求項１１】
請求項３記載の駐車場システムを構成するために用いられるものであって、
一の顧客に一時に発行する割引クーポン額の入力を受け付ける入力受付部と、
前記入力受付部で入力を受け付けた割引クーポン額を記憶するクーポン額記憶部と、
店舗を識別する店舗識別子及び前記クーポン額記憶部に記憶した割引クーポン額に相当するクーポン情報を店舗を訪れた顧客の記録媒体に書き込むクーポン書込部と、
を具備する店舗用端末。
【請求項１２】
請求項３記載の駐車場システムを構成するために用いられるものであって、
駐車場を利用した顧客の記録媒体に書き込まれているクーポン情報を読み出すクーポン読出部と、
前記クーポン読出部で読み出したクーポン情報に対応した割引額を駐車場利用額から割り引いて顧客から収受すべき料金を算出する収受料金算出部と、
前記クーポン読出部で読み出したクーポン情報をセンタサーバに向けて送信する利用情報送信部と
を具備する精算機。
【請求項１３】
請求項３記載の駐車場システムを構成するために用いられるものであって、
精算機から送信されるクーポン情報を受信する利用情報受信部と、
前記利用情報受信部で受信したクーポン情報に基づく店舗毎の割引クーポンの発行額を当該店舗を識別する識別子に関連付けて記憶する履歴記憶部と、
前記履歴記憶部に記憶した割引クーポンの発行額を参照して店舗毎の請求金を算出する請求金算出部と
を具備するセンタサーバ。
【発明の詳細な説明】
【技術分野】
【０００１】
本発明は、有料駐車場の利用料金精算のシステムに関する。
【背景技術】
【０００２】
有料駐車場に設置される駐車場利用料金の自動精算システムが既知である（例えば、下記特許文献を参照）。一般的な自動精算システムでは、入場時に駐車券発行機が発行する駐車券を受け取り、退場時にその駐車券を精算機に挿入して駐車時間に応じた料金を算定、支払をするのが通例である。また、料金支払に際し、同精算機に所定の割引券を挿入すれば駐車料金の割引を受けることができる。
【特許文献１】特開２００１−２４３５１１号公報
【発明の開示】
【発明が解決しようとする課題】
【０００３】
多くの小売店や飲食店等が、一定金額以上の買物をした顧客に対して付近の有料駐車場の割引券を提供し、集客の向上を図っている。顧客が受ける駐車料金の割引分は、店舗が肩代わりする。店舗は、事前に駐車場の運営事業者から割引券を買い入れておくことを要求され、割引券のストックが少なくなれば当然買い足さなくてはならない。駐車場の運営事業者にとっても、個々の店舗に頻繁に駐車券を納入せねばならず、双方の事務処理負担が大きい。
【０００４】
加えて、顧客に割引券を提供するにあたっては、各店舗に予め配備してある認証機に顧客の所持する駐車券を挿入して認証処理を実行する必要がある。そして、この認証機及び精算機の料金計算ソフトウェアの制約により、ある店舗にて買物金額２０００円以上で駐車料金１時間分を割引するルールとなっている場合、他の店舗においても買物金額２０００円以上で駐車料金１時間分を割引せざるを得ず、店舗毎に独自の割引ルールを設定できないという不都合がある。
【０００５】
以上の問題に着目してなされた本発明は、店舗及び駐車場運営事業者双方の事務処理負担を軽減し、かつ店舗毎に独自の割引ルールを設定可能なシステムを実現しようとするものである。
【課題を解決するための手段】
【０００６】
本発明では、店舗毎に配備した店舗用端末と、店舗を訪れる顧客が所持する記録媒体と、顧客が利用する駐車場の利用料金を精算する精算機と、店舗に対する請求金を決定するセンタサーバとを要素とするシステムであって、店舗用端末が、店舗を識別する店舗識別子及び割引クーポンの希望発行額を含む発行要求情報をセンタサーバに向けて送信する要求送信部と、センタサーバから返信される発行許可情報を受信する許可受信部と、前記許可受信部で受信した発行許可情報に基づく割引クーポンの発行可能残高を記憶する残高記憶部と、一の顧客に一時に発行する割引クーポン額の入力を受け付ける入力受付部と、前記入力受付部で入力を受け付けた割引クーポン額を記憶するクーポン額記憶部と、前記クーポン額記憶部に記憶した割引クーポン額に相当するクーポン情報を店舗を訪れた顧客の記録媒体に書き込むクーポン書込部と、前記クーポン書込部を介して発行した割引クーポン額分だけ前記残高記憶部に記憶している発行可能残高を減算する残高更新部とを具備し、精算機が、駐車場を利用した顧客の記録媒体に書き込まれているクーポン情報を読み出すクーポン読出部と、前記クーポン読出部で読み出したクーポン情報に対応した割引額を駐車場利用額から割り引いて顧客から収受すべき料金を算出する収受料金算出部とを具備し、センタサーバが、店舗用端末から送信される発行要求情報を受信する要求受信部と、前記要求受信部で受信した発行要求情報に対する発行許可情報を店舗用端末に向けて返信する許可返信部と、前記要求受信部で受信した発行要求情報に基づく店舗毎の割引クーポンの発行額を当該店舗を識別する店舗識別子に関連付けて記憶する履歴記憶部と、前記履歴記憶部に記憶した割引クーポンの発行額を参照して店舗毎の請求金を算出する請求金算出部とを具備する駐車場システムを構成した。ここで、「発行額」「発行可能残高」「割引クーポン額」「割引額」並びに「駐車場利用額」は、時間単位（駐車時間を割引する場合）の値であることもあれば、金額単位（駐車料金を割引する場合）の値であることもある。
【０００７】
本駐車場システムでは、各店舗の端末からセンタサーバにアクセスし、予め割引クーポンの発行可能残高をチャージしておく。顧客に対して発行する割引クーポンの額は、各店舗の端末毎に個別に設定入力することができる。そして、顧客が店舗を訪れた際、設定入力した額の割引クーポンの情報を、顧客が所持する記録媒体に書き込む。顧客は、この割引クーポン情報を精算機に読み取らせて駐車料金の割引を受けることができる。センタサーバは、店舗用端末に割引クーポンの発行可能残高をチャージした履歴を蓄積し、その履歴を参照して各店舗に請求すべき金額を算定する。
【０００８】
本発明によれば、各店舗が割引券をストックしておく必要がなく、駐車場の運営事業者が各店舗に頻繁に割引券を納入する必要もない。よって、割引券の購入に伴う店舗、駐車場運営事業者双方の事務処理負担が軽減される。その上で、ある店舗では買物金額５００円以上で駐車料金を１００円割引し、他の店舗では買物金額１０００円以上で駐車料金を２００円割引するというように、各店舗で自由に割引ルールを設定できる。さらに、特別セール期間中は割引クーポン額を引き上げる等、その時々に応じた設定変更も柔軟になし得る。また、複数店舗が入居する商業ビル、百貨店やショッピングモール等においては、顧客が幾つかの店舗で買物をし、それら店舗で個々に割引クーポンの発行を受けることができる。このとき、精算機にて、顧客の記録媒体に記憶された複数の割引クーポンの額を合算して駐車場利用額から割り引く処理が可能となる。
【０００９】
上述の駐車場システムは、予め店舗用端末に割引クーポンの発行可能残高をチャージさせ、そのチャージ分の対価を事後的に店舗に請求するものであった。これに対して、顧客に対して割引クーポンを発行する都度各店舗の端末からセンタサーバにアクセスしてクーポン発行許可を得るようにし、実際に顧客に発行したクーポン分の対価を店舗に請求するシステムとしてもよい。その場合、店舗用端末が、一の顧客に一時に発行する割引クーポン額の入力を受け付ける入力受付部と、前記入力受付部で入力を受け付けた割引クーポン額を記憶するクーポン額記憶部と、店舗を識別する店舗識別子及び前記クーポン額記憶部に記憶した割引クーポン額を含む発行要求情報をセンタサーバに向けて送信する要求送信部と、センタサーバから返信される発行許可情報を受信する許可受信部と、前記許可受信部で受信した発行許可情報に基づいて割引クーポン額に相当するクーポン情報を店舗を訪れた顧客の記録媒体に書き込むクーポン書込部とを具備し、精算機が、駐車場を利用した顧客の記録媒体に書き込まれているクーポン情報を読み出すクーポン読出部と、前記クーポン読出部で読み出したクーポン情報に対応した割引額を駐車場利用額から割り引いて顧客から収受すべき料金を算出する収受料金算出部とを具備し、センタサーバが、店舗用端末から送信される発行要求情報を受信する要求受信部と、前記要求受信部で受信した発行要求情報に対する発行許可情報を店舗用端末に向けて返信する許可返信部と、前記要求受信部で受信した発行要求情報に基づく店舗毎の割引クーポンの発行額を当該店舗を識別する店舗識別子に関連付けて記憶する履歴記憶部と、前記履歴記憶部に記憶した割引クーポンの発行額を参照して店舗毎の請求金を算出する請求金算出部とを具備する構成をとる。
【００１０】
あるいは、店舗が発行した割引クーポンが使用された事実に関する情報を精算機からセンタサーバに送信するようにし、顧客が駐車料金の割引を受けた分の対価を店舗に請求するシステムとしてもよい。その場合、店舗用端末が、一の顧客に一時に発行する割引クーポン額の入力を受け付ける入力受付部と、前記入力受付部で入力を受け付けた割引クーポン額を記憶するクーポン額記憶部と、店舗を識別する店舗識別子及び前記クーポン額記憶部に記憶した割引クーポン額に相当するクーポン情報を店舗を訪れた顧客の記録媒体に書き込むクーポン書込部とを具備し、精算機が、駐車場を利用した顧客の記録媒体に書き込まれているクーポン情報を読み出すクーポン読出部と、前記クーポン読出部で読み出したクーポン情報に対応した割引額を駐車場利用額から割り引いて顧客から収受すべき料金を算出する収受料金算出部と、前記クーポン読出部で読み出したクーポン情報をセンタサーバに向けて送信する利用情報送信部とを具備し、センタサーバが、精算機から送信されるクーポン情報を受信する利用情報受信部と、前記利用情報受信部で受信したクーポン情報に基づく店舗毎の割引クーポンの発行額を当該店舗を識別する識別子に関連付けて記憶する履歴記憶部と、前記履歴記憶部に記憶した割引クーポンの発行額を参照して店舗毎の請求金を算出する請求金算出部とを具備する構成をとる。
【００１１】
前記記録媒体が電子マネー情報（電子マネーの残高等）若しくはクレジットカード情報（カード番号等）をも記憶し、または、前記記録媒体と電子マネー情報若しくはクレジットカード情報を記憶する記録媒体とが同一物体に実装されており、前記精算機が、電子マネー情報若しくはクレジットカード情報を記憶した記録媒体との交信を通じて前記収受料金算出部で算出した収受料金を収受する料金収受部をさらに具備しているならば、精算機が顧客の記録媒体からクーポン情報を読み取るのと同時に電子マネー情報若しくはクレジットカード情報を読み取って料金収受処理を実行することができる。つまり、一度の読み取り操作で決済が完了することになり、顧客にとっての操作性、利便性が高まる。
【００１２】
加えて、顧客が駐車場を利用する際にその駐車場を識別する駐車場識別子を顧客の記録媒体に書き込む駐車券発行機をも要素とするシステムであって、前記店舗用端末が、提携している駐車場を識別する駐車場識別子を記憶する提携駐車場記憶部と、店舗を訪れた顧客の記録媒体に書き込まれている駐車場識別子を読み出す駐車券読出部とをさらに具備しており、前記駐車券読出部で読み出した駐車場識別子が前記提携駐車場記憶部に記憶した駐車場識別子の中に含まれていることを条件として、前記クーポン書込部がクーポン情報を顧客の記録媒体に書き込むものであれば、顧客が店舗と提携関係にある駐車場を利用している場合にのみ割引クーポンを発行し、そうでなければ割引クーポンを発行しないようにすることができる。
【００１３】
割引クーポンを発行することについての妥当性検証を、センタサーバ側で実施することも考えられる。その場合、前記店舗用端末が、店舗を訪れた顧客の記録媒体に書き込まれている駐車場識別子を読み出す駐車券読出部と、前記駐車券読出部で読み出した駐車場識別子をセンタサーバに向けて送信する確認要求送信部と、センタサーバから返信される確認情報を受信する確認受信部とをさらに具備し、前記センタサーバが、提携している駐車場を識別する駐車場識別子を記憶する提携駐車場記憶部と、店舗用端末から送信される駐車場識別子を受信する確認要求受信部と、前記確認要求受信部で受信した駐車場識別子が前記提携駐車場記憶部に記憶した駐車場識別子の中に含まれている場合にその旨を示す駐車場確認情報を店舗用端末に向けて返信する確認返信部とをさらに具備しており、店舗用端末が前記駐車場確認情報を受信したことを条件として、前記クーポン書込部がクーポン情報を顧客の記録媒体に書き込む構成をとる。
【発明の効果】
【００１４】
本発明によれば、店舗及び駐車場運営事業者双方の事務処理負担を軽減し、かつ店舗毎に独自の割引ルールを設定可能なシステムを実現できる。
【発明を実施するための最良の形態】
【００１５】
＜第１実施形態＞
本発明の実施の形態を、図面を参照して説明する。本駐車場システムは、例えば商業ビル、百貨店やショッピングモール等に入居する複数の店舗が共通して提携する有料駐車場の利用料金の割引サービスを実現する。図１に示すように、本駐車場システムは、店舗を訪れる顧客が所持する記録媒体５と、各店舗に配備している店舗用端末１と、顧客が駐車場を利用する際に駐車券を発行する駐車券発行機２と、顧客から駐車場の利用料金を収受して精算する精算機３と、駐車場の利用履歴及び料金割引の履歴を集約して各店舗に対する請求金を決定するセンタサーバ４とを主要な構成要素とする。駐車券発行機２、店舗用端末１及び精算機３はそれぞれ、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネット等の電気通信回線を介してセンタサーバ４に接続する。
【００１６】
顧客の記録媒体５は、駐車券に相当する駐車券情報や、駐車料金の割引クーポンに相当するクーポン情報を記憶する。記録媒体５は、ＲＦＩＤ（Ｒａｄｉｏ  Ｆｒｅｑｕｅｎｃｙ  ＩＤｅｎｔｉｆｉｃａｔｉｏｎ）を採用した非接触ＩＣカードや携帯電話端末、あるいは磁気カード等である。この記録媒体５は、電子マネー情報若しくはクレジットカード情報をも記憶していることがある、または、電子マネー情報若しくはクレジットカード情報を記憶する記録媒体と同一物体となっていることがある。
【００１７】
店舗用端末１は、駐車場利用料金の割引クーポンに相当するクーポン情報を顧客の記録媒体５に書き込む。並びに、センタサーバ４にアクセスして、割引クーポンの発行可能残高のチャージを行う。店舗用端末１には、例えばＰＤＡ（Ｐｅｒｓｏｎａｌ  Ｄｉｇｉｔａｌ  Ａｓｓｉｓｔａｎｔｓ）やパーソナルコンピュータ、またはＰＯＳ（Ｐｏｉｎｔ  Ｏｆ  Ｓａｌｅｓ）レジ等を採用することができる。店舗用端末１は、図２に示すように、プロセッサ１ａ、メインメモリ１ｂ、補助記憶デバイス１ｃ、表示制御デバイス１ｄ、ディスプレイ１ｅ、操作入力デバイス１ｆ、通信インタフェース１ｇ、リーダ／ライタ１ｈ、音声出力デバイス１ｉ等のハードウェア資源を備え、これらがコントローラ（システムコントローラ、Ｉ／Ｏコントローラ等）１ｊにより制御されて連携動作するものである。補助記憶デバイス１ｃは、フラッシュメモリ、ハードディスクドライブ、光学ディスクドライブ、その他である。表示制御デバイス１ｄは、プロセッサ１ａより受けた描画指令を基に表示させるべき画像データを生成してディスプレイ１ｅに向けて送出するグラフィクスプロセッサ、画像データ等を一時記憶しておくビデオメモリ等を要素とする。操作入力デバイス１ｆは、手指で操作可能なボタン、キーボードや、マウス、トラックパッド、タッチパネル（ディスプレイ１ｅに重なっていることがある）等のポインティングデバイスである。通信インタフェース１ｇは、電気通信回線を介したデータ通信を行うためのデバイスであり、ＮＩＣ（Ｎｅｔｗｏｒｋ  Ｉｎｔｅｒｆａｃｅ  Ｃａｒｄ）や無線トランシーバに代表される。リーダ／ライタ１ｈは、非接触ＩＣカードや携帯電話端末と通信するＲＦＩＤリーダ／ライタ、あるいは磁気カードリーダ／ライタ等である。音声出力デバイス１ｉは、ＣＯＤＥＣ（ＣＯｄｅｒ−ＤＥＣｏｄｅｒ）、アンプ及びスピーカ等を備えてなるものである。
【００１８】
プロセッサ１ａで実行されるべきプログラムは補助記憶デバイス１ｃに記憶されており、プログラムの実行の際に補助記憶デバイス１ｃからメインメモリ１ｂに読み込まれ、プロセッサ１ａで解読される。しかして、プログラムに従い上記ハードウェア資源を作動して、図３に示している要求送信部１０１、許可受信部１０２、残高記憶部１０３、提携駐車場記憶部１０４、駐車券読出部１０５、入力受付部１０６、クーポン額記憶部１０７、クーポン書込部１０８、残高更新部１０９としての機能を発揮する。
【００１９】
要求送信部１０１は、店舗を識別する店舗識別子と、割引クーポンの希望発行額とを含む発行要求情報をセンタサーバ４に向けて送信する。発行要求情報はいわば、店舗による割引クーポンの購入申し込みである。店舗識別子は、店舗のＩＤ番号及び／または端末のＩＤ番号であり、予めメインメモリ１ｂまたは補助記憶デバイス１ｃに暗号化して記憶している。希望発行額は、店舗側が割引クーポンの発行可能残高をどれだけ加増したいのかを示すもので、通常は店舗側の人間が操作入力デバイス１ｆを介して手入力（選択肢の中からの選択操作であることがある）する。店舗用端末１は、特にインターネットを介してセンタサーバ４にアクセスし、これらを送信する。
【００２０】
許可受信部１０２は、センタサーバ４から返信される発行許可情報を受信する。発行許可情報は、発行要求情報によって示された希望発行額の分だけ発行可能残高を加増することを許可する旨を示す。
【００２１】
残高記憶部１０３は、割引クーポンの発行可能残高を記憶する。発行可能残高は、その店舗があと何時間分または何円分の割引クーポンを発行できるのかを示し、メインメモリ１ｂまたは補助記憶デバイス１ｃに暗号化して記憶している。本実施形態では、上記の発行許可情報を受信した後、先に送信した発行要求情報における希望発行額分の値を発行可能残高に加算する処理を行う。
【００２２】
提携駐車場記憶部１０４は、その店舗が提携している駐車場を識別する駐車場識別子を記憶する。これは、当該店舗の発行する割引クーポンが有効となる駐車場（識別子）のリストである。駐車場識別子は、駐車場運営事業者のＩＤ番号及び／または駐車場自体のＩＤ番号である。各店舗と各駐車場との提携関係を示すマスタデータは、センタサーバ４が保有し管理している。店舗と駐車場との提携関係はしばしば追加／削除されることが想定されるので、本実施形態では、店舗用端末１が所定間隔で自動的にセンタサーバ４にアクセスして提携駐車場の最新のリストをダウンロードし、メインメモリ１ｂまたは補助記憶デバイス１ｃに記憶する。
【００２３】
駐車券読出部１０５は、顧客の所持する記録媒体５に記憶されている駐車券情報をリーダ／ライタ１ｈを介して読み出す。駐車券情報は、
・顧客が駐車した駐車場を識別する駐車場識別子
・入場（駐車）日時のタイムスタンプ
・退場済みフラグ（該当の入場が既に精算、退場済みであることを示すフラグ）
等のフィールド（属性）を含む。
【００２４】
入力受付部１０６は、一の顧客に一時に発行する割引クーポン額の入力を受け付ける。発行する割引クーポンの額は、店舗側の人間が操作入力デバイス１ｆを介して手入力（選択肢の中からの選択操作であることがある）する。なお、割引クーポン額自体を直接入力するのではなく、買物金額を入力することによって間接的に割引クーポン額を入力する態様もとり得る。例えば、買物金額のｎ％の割引クーポンを発行する、またはｘ円の買物金額毎にｙ円の割引クーポンを発行するというような場合、買物金額から割引クーポン額を決定するルールの情報（割引率ｎ、またはｘとｙとの変換テーブル等）を予めメインメモリ１ｂまたは補助記憶デバイス１ｃに記憶しておき、買物金額の入力を受け付けた上でこれを基に割引クーポンの額を算定する。割引クーポンの額の入力は、顧客に割引クーポンを発行するその時に行われてもよいし、顧客を迎える以前に初期設定として行われてもよい。
【００２５】
クーポン額記憶部１０７は、入力受付部１０６で入力を受け付けた割引クーポン額を記憶する。即ち、一の顧客に対して何時間分または何円分の割引クーポンを発行するのかの値を、メインメモリ１ｂまたは補助記憶デバイス１ｃに記憶する。
【００２６】
クーポン書込部１０８は、クーポン額記憶部１０７に記憶した割引クーポン額に相当するクーポン情報を、店舗を訪れた顧客の記録媒体５にリーダ／ライタ１ｈを介して書き込む。クーポン情報は、
・割引クーポンを発行した店舗を識別する店舗識別子
・割引クーポン発行日時のタイムスタンプ
・何時間分または何円分の駐車料金を割り引くのかを示す割引クーポン額の値
・使用済みフラグ（該当の割引クーポンが既に精算に使用済みであることを示すフラグ）
等のフィールドを含む。本実施形態では、割引クーポンの発行に先んじて、顧客が店舗と提携している駐車場を利用しているかどうかの検証を行う。この妥当性検証では、駐車券読出部１０５で読み出した駐車券情報に含まれる駐車場識別子が、提携駐車場記憶部１０４で記憶している提携駐車場のリスト中に存在するか否かを判定し、リスト中に存在していない場合にはクーポン情報の書き込みを実行しない。
【００２７】
残高更新部１０９は、残高記憶部１０３に記憶している発行可能残高を、クーポン書込部１０８を介して発行した割引クーポン額分だけ減算した値に書き換える。
【００２８】
駐車券発行機２は、駐車券に相当する駐車券情報を顧客の記録媒体５に書き込む。駐車券発行機２は、図４に示すように、プロセッサ２ａ、メインメモリ２ｂ、補助記憶デバイス２ｃ、表示制御デバイス２ｄ、ディスプレイ２ｅ、操作入力デバイス２ｆ、通信インタフェース２ｇ、Ｉ／Ｏインタフェース２ｈ、リーダ／ライタ２ｉ等のハードウェア資源を備え、これらがコントローラ２ｊにより制御されて連携動作するものである。Ｉ／Ｏインタフェース２ｈは、入場ゲート６等と接続してこれに制御信号を入力するためのインタフェースである。
【００２９】
プロセッサ２ａで実行されるべきプログラムは補助記憶デバイス２ｃに記憶されており、プログラムの実行の際に補助記憶デバイス２ｃからメインメモリ２ｂに読み込まれ、プロセッサ２ａで解読される。しかして、プログラムに従い上記ハードウェア資源を作動して、図５に示している駐車券書込部２０１としての機能を発揮する。
【００３０】
駐車券書込部２０１は、駐車券情報を、駐車場を利用しようとする顧客の所持する記録媒体５にリーダ／ライタ２ｉを介して書き込む。駐車所識別子は、予めメインメモリ２ｂまたは補助記憶デバイス２ｃに暗号化して記憶している。
【００３１】
精算機３は、顧客の記録媒体５に記憶されている駐車券情報及びクーポン情報を読み出し、駐車場の利用料金を精算する。精算機３は、駐車券発行機２と一体をなしていることがある。精算機３は、図６に示すように、プロセッサ３ａ、メインメモリ３ｂ、補助記憶デバイス３ｃ、表示制御デバイス３ｄ、ディスプレイ３ｅ、操作入力デバイス３ｆ、通信インタフェース３ｇ、Ｉ／Ｏインタフェース３ｈ、リーダ／ライタ３ｉ、料金収受機構３ｊ等のハードウェア資源を備え、これらがコントローラ３ｋにより制御されて連携動作するものである。Ｉ／Ｏインタフェース３ｈは、退場ゲート７等と接続してこれに制御信号を入力するためのインタフェースである。料金収受機構３ｊは、既存の精算機と同様、硬貨を選別するコインセレクタや紙幣を選別する紙幣リーダ、釣銭を払い出す釣銭払出機等を備えてなるものである。
【００３２】
プロセッサ３ａで実行されるべきプログラムは補助記憶デバイス３ｃに記憶されており、プログラムの実行の際に補助記憶デバイス３ｃからメインメモリ３ｂに読み込まれ、プロセッサ３ａで解読される。しかして、プログラムに従い上記ハードウェア資源を作動して、図７に示しているクーポン読出部３０１、収受料金算出部３０２、料金収受部３０３、利用情報書込部３０４としての機能を発揮する。
【００３３】
クーポン読出部３０１は、駐車場を利用した顧客の記録媒体５に書き込まれている駐車券情報及びクーポン情報をリーダ／ライタ３ｉを介して読み出す。
【００３４】
収受料金算出部３０２は、クーポン読出部３０１で読み出した駐車券情報を基に駐車場利用額を算出し、そこからクーポン情報に対応した割引額を割り引いて、顧客から収受すべき料金を算出する。
【００３５】
料金収受部３０３は、収受料金算出部３０２で算出した料金を顧客から収受する。具体的には、既存の精算機と同様、料金をディスプレイ３ｅの画面に表示し、顧客が投入する貨幣を料金収受機構３ｊにおいて勘定して収受し、必要であれば釣銭の払い出しを行う。顧客の所持する記録媒体５が電子マネー情報をも記憶し、または駐車券情報等を記憶する記録媒体５と電子マネー情報を記憶する記録媒体とが同一物体に実装されている場合には、現金の替わりに電子マネーを収受することができる。この場合、リーダ／ライタ３ｉを介して、その記録媒体に記憶されている電子マネー情報を、料金分だけ減算した値に書き換える。あるいは、顧客の所持する記録媒体５がクレジットカード情報をも記憶し、または駐車券情報等を記憶する記録媒体５とクレジットカード情報を記憶する記録媒体とが同一物体に実装されている場合には、クレジットカード決済として料金を収受することができる。この場合、リーダ／ライタ３ｉを介してその記録媒体に記憶されているクレジットカード情報を読み出し、料金の情報とともにホストコンピュータ（図示せず）に向けて送信し、照会、決済する。
【００３６】
利用情報書込部３０４は、料金収受部３０３における料金収受後、利用情報を、顧客の所持する記録媒体５にリーダ／ライタ３ｉを介して書き込む。利用情報は、精算及び退場の記録である。利用情報は、
・駐車場識別子
・退場（精算）日時のタイムスタンプ
・駐車場利用額（正規の、割引前の駐車料金）
・駐車料金の割引に使用した一または複数のクーポン情報（使用済みフラグを除く）
・割引総額
等のフィールドを含む。なお、この利用情報を、センタサーバ４に向けて送信するようにしてもよい。加えて、利用情報書込部３０４は、精算を終えた駐車場利用に係る駐車券情報の退場済みフラグをオンに書き換えるか、または駐車券情報を記録媒体５から消去する。併せて、割引に使用したクーポン情報の使用済みフラグをオンに書き換えるか、またはそのクーポン情報を記録媒体５から消去する。
【００３７】
センタサーバ４は、店舗用端末１からもたらされる発行要求情報を受け付けて割引クーポンの発行可能残高のチャージを許可するとともに、各店舗毎の割引クーポンの発行額を集計する。センタサーバ４は、図８に示すように、プロセッサ４ａ、メインメモリ４ｂ、補助記憶デバイス４ｃ、通信インタフェース４ｄ等のハードウェア資源を備え、これらがコントローラ４ｅにより制御されて連携動作するものである。
【００３８】
プロセッサ４ａで実行されるべきプログラムは補助記憶デバイス４ｃに記憶されており、プログラムの実行の際に補助記憶デバイス４ｃからメインメモリ４ｂに読み込まれ、プロセッサ４ａで解読される。しかして、プログラムに従い上記ハードウェア資源を作動して、図９に示している要求受信部４０１、許可返信部４０２、履歴記憶部４０３、請求金算出部４０４、提携駐車場記憶部４０５としての機能を発揮する。
【００３９】
要求受信部４０１は、店舗用端末１から送信される発行要求情報を受信する。
【００４０】
許可返信部４０２は、要求受信部４０１で受信した発行要求情報に対する発行許可情報を店舗用端末１に向けて返信する。
【００４１】
履歴記憶部４０３は、要求受信部４０１で受信した発行要求情報に基づく店舗毎の割引クーポンの発行額を、店舗を識別する店舗識別子に関連付けて記憶する。即ち、各店舗が行った発行可能残高のチャージの履歴を、メインメモリ４ｂまたは補助記憶デバイス４ｃに記憶する。履歴情報は、
・店舗を識別する店舗識別子
・当該店舗における発行可能残高の加増日時（発行要求情報の受信日時または発行許可情報の送信日時）のタイムスタンプ
・発行可能残高の加増額（原則として、発行要求情報に含まれる希望発行額と同一）
等のフィールドを含む。
【００４２】
請求金算出部４０４は、履歴記憶部４０３に記憶した割引クーポンの発行額を参照して店舗毎の請求金を算出する。例えば、毎月の締め日に、その月間の発行可能残高のチャージ額の総額を各店舗毎に集計し、必要であれば割引や手数料加算、税金加算等を施した上で各店舗に対する請求金とする。請求金算出部４０４で算出した請求金の情報及び／または履歴記憶部４０３に記憶している各店舗毎の履歴情報は、店舗用端末１に送信したり、ハードコピー出力したり、金融機関の決済系（図示せず）に送信して各店舗の口座から請求金を引き落としたりすることができる。
【００４３】
提携駐車場記憶部４０５は、各店舗と各駐車場との提携関係を示すマスタデータを記憶する。マスタデータは、各店舗の店舗識別子に、当該店舗と提携関係にある一または複数の駐車場の駐車場識別子を関連付けたものである。マスタデータは、店舗または駐車場の加盟／脱退、両者の提携関係の成立／解消が発生する都度更新してメインメモリ４ｂまたは補助記憶デバイス４ｃに記憶する。
【００４４】
以降、本駐車場システムの要素である店舗用端末１、駐車券発行機２、精算機３及びセンタサーバ４がプログラムに従い実行する処理の手順を述べる。はじめに、店舗用端末１に提携駐車場のリストをダウンロードする際の手順を、図１０に示す。店舗用端末１は、センタサーバ４に向けて、提携駐車場のリストのダウンロード要求であるリスト要求情報を送信する（ステップＳ１０１）。リスト要求情報は、店舗用端末１が記憶保持する店舗識別子を含む。センタサーバ４は、リスト要求情報を受信したとき（ステップＳ１０２）、そのリスト要求情報に含まれる店舗識別子に関連付けられている駐車場識別子（の組）をマスタデータから抽出し（ステップＳ１０３）店舗用端末１に向けて返信する（ステップＳ１０４）。これを受信した（ステップＳ１０５）店舗用端末１は、受信した駐車場識別子を提携駐車場のリストとして記憶する（ステップＳ１０６）。
【００４５】
店舗用端末１に割引クーポンの発行可能残高をチャージする際の手順を、図１１に示す。店舗用端末１は、店舗側の人間の手による、割引クーポンの希望発行額の入力を受け付ける（ステップＳ２０１）。その後、センタサーバ４に向けて、発行要求情報を送信する（ステップＳ２０２）。発行要求情報は、店舗用端末１が記憶保持する店舗識別子及び希望発行額を含む。センタサーバ４は、発行要求情報を受信したとき（ステップＳ２０３）、その発行要求情報に含まれる店舗識別子及び希望発行額を、内蔵の計時回路から取得した現在日時のタイムスタンプとともに履歴情報として記憶する（ステップＳ２０４）。そして、ステップＳ２０４と相前後して、発行許可情報を店舗用端末１に向けて返信する（ステップＳ２０５）。これを受信した（ステップＳ２０６）店舗用端末１は、記憶保持している発行可能残高に、希望発行額分の値を加算する（ステップＳ２０７）。
【００４６】
駐車券発行機２が顧客に対して駐車券を発行する際の手順を、図１２に示す。駐車場に入場する顧客は、所持している記録媒体５を、駐車券発行機２に実装されたリーダ／ライタ２ｉにかざすか、あるいは挿入する。駐車券発行機２はこれを受けて（ステップＳ３０１）、顧客の記録媒体５に、自己が記憶保持する駐車場識別子を内蔵の計時回路から取得した現在日時のタイムスタンプとともに駐車券情報として書き込む（ステップＳ３０２）。駐車券情報における退場済みフラグはオフとする。しかる後、入場ゲート６に制御信号を入力して入場ゲートを開く（ステップＳ３０３）。
【００４７】
店舗用端末１が顧客に対して割引クーポンを発行する際の手順を、図１３に示す。店舗で買物をした顧客は、所持している記録媒体５を自身の手で、または店舗側の人間に手渡して、店舗用端末１に実装されたリーダ／ライタ１ｈにかざすか、あるいは挿入する。店舗用端末１はこれを受けて（ステップＳ４０１）、顧客の記録媒体５に記憶されている駐車券情報を読み出し（ステップＳ４０２）、妥当性検証を行う。即ち、未退場の（退場済みフラグがオフである）駐車券情報が存在しているか否かを判定し（ステップＳ４０３）、存在していればさらにその駐車券情報に含まれる駐車場識別子が提携駐車場のリスト中に存在しているか否かを判定する（ステップＳ４０４）。ステップＳ４０４を満足した暁には、店舗側の人間の手による、その時に発行する割引クーポン額の入力を受け付けて記憶する（ステップＳ４０５）。ステップＳ４０５では、例えば割引クーポンの額の選択肢をディスプレイ１ｅの画面に表示して、タッチパネル等を介して選択させる。その後、入力された割引クーポンの額と発行可能残高とを比較して前者が後者を上回らなければ（ステップＳ４０６）、顧客の記録媒体５に、自己が記憶保持している店舗識別子及び割引クーポン額を、内蔵の計時回路から取得した現在日時のタイムスタンプとともにクーポン情報として書き込む（ステップＳ４０７）。クーポン情報における使用済みフラグはオフとする。さらに、店舗用端末１は、記憶保持している発行可能残高から、割引クーポン額分の値を減算する（ステップＳ４０８）。因みに、顧客は、複数の店舗で発行された複数の割引クーポンを記録媒体５に蓄えておき、駐車料金の精算時にまとめて使用することができる。よって、店舗用端末１は、顧客の記録媒体５に記憶されているクーポン情報を読み出し（ステップＳ４０９）、未使用の（使用済みフラグがオフである）割引クーポンの総額を集計した上（ステップＳ４１０）、「今回の買物での駐車料金の割引額は＃＃＃＃（＝ステップＳ４０７にて書き込んだ値）円です。駐車料金の割引額の合計は＃＃＃＃（＝ステップＳ４１０にて集計した値）円です」というような顧客向けメッセージをディスプレイ１ｅの画面に表示し、及び／または、音声出力デバイス１ｉを介して音声出力する（ステップＳ４１１）ことが好ましい。ステップＳ４０３、Ｓ４０４またはステップＳ４０６を満足しない場合、割引クーポンは発行されない。
【００４８】
精算機３が駐車料金を顧客から収受する際の手順を、図１４に示す。駐車場から退場する顧客は、所持している記録媒体５を、精算機３に実装されたリーダ／ライタ３ｉにかざすか、あるいは挿入する。精算機３はこれを受けて（ステップＳ５０１）、顧客の記録媒体５に記憶されている駐車券情報を読み出し（ステップＳ５０２）、駐車券情報に含まれる入場日時と内蔵の計時回路から取得した現在日時とから、駐車場の利用時間ひいては利用額を算出する（ステップＳ５０３）。並びに、顧客の記録媒体５に記憶されているクーポン情報を読み出し（ステップＳ５０４）、未使用の割引クーポンの総額を集計した上（ステップＳ５０５）これを駐車場利用額から減算して収受すべき料金を算出する（ステップＳ５０６）。ステップＳ５０５及びＳ５０６にて、未使用の割引クーポンの総額が駐車場利用額を上回る場合には、例えばタイムスタンプの古い順にクーポン情報を使用することとし、収受料金が０まで減額されても未だ使用されない（比較的新しい）クーポン情報についてはそのまま保存しておき次回以降の駐車場利用機会に使用できるようにする。あるいは、ステップＳ５０５及びステップＳ５０６にて、タイムスタンプが入場日時以降のクーポン情報に限り使用することとして、古いクーポン情報を事実上無効化しても構わない。そして、算出した料金を収受する（ステップＳ５０７）。ステップＳ５０７では、駐車場利用額、割引額及び収受料金をディスプレイ３ｅの画面に表示し、現金、電子マネーまたはクレジットカード決済により収受する。料金の収受を終えたら、利用情報の記録処理を行う（ステップＳ５０８）。ステップＳ５０８では、顧客の記録媒体５に利用情報を書き込み、駐車券情報の退場済みフラグをオンに書き換えるかまたは駐車券情報を消去する。併せて、割引に使用したクーポン情報の使用済みフラグをオンに書き換えるかまたはそのクーポン情報を消去する。しかる後、退場ゲート７に制御信号を入力して退場ゲートを開く（ステップＳ５０９）。
【００４９】
センタサーバ４が各店舗に対する請求金を決定する際の手順を、図１５に示す。センタサーバ４は、各店舗が行った発行可能残高のチャージに係る履歴情報を参照して、所定期間例えば月間の発行可能残高のチャージ額の総額を店舗識別子毎に集計する（ステップＳ６０１）。そして、その総額に、割引や手数料加算、税金加算等を施した上で各店舗に対する最終的な請求金を算出する（ステップＳ６０２）。この請求金の情報は、例えばウェブページや電子メール等の形態で店舗用端末１に向けて送信し（ステップＳ６０３）、店舗側による閲覧、確認に供する。
【００５０】
本実施形態によれば、店舗用端末１が、店舗を識別する店舗識別子及び割引クーポンの希望発行額を含む発行要求情報をセンタサーバ４に向けて送信する要求送信部１０１と、センタサーバ４から返信される発行許可情報を受信する許可受信部１０２と、前記許可受信部１０２で受信した発行許可情報に基づく割引クーポンの発行可能残高を記憶する残高記憶部１０３と、一の顧客に一時に発行する割引クーポン額の入力を受け付ける入力受付部１０６と、前記入力受付部１０６で入力を受け付けた割引クーポン額を記憶するクーポン額記憶部１０７と、前記クーポン額記憶部１０７に記憶した割引クーポン額に相当するクーポン情報を店舗を訪れた顧客の記録媒体５に書き込むクーポン書込部１０８と、前記クーポン書込部１０８を介して発行した割引クーポン額分だけ前記残高記憶部１０３に記憶している発行可能残高を減算する残高更新部１０９とを具備し、精算機３が、駐車場を利用した顧客の記録媒体５に書き込まれているクーポン情報を読み出すクーポン読出部３０１と、前記クーポン読出部３０１で読み出したクーポン情報に対応した割引額を駐車場利用額から割り引いて顧客から収受すべき料金を算出する収受料金算出部３０２とを具備し、センタサーバ４が、店舗用端末１から送信される発行要求情報を受信する要求受信部４０１と、前記要求受信部４０１で受信した発行要求情報に対する発行許可情報を店舗用端末１に向けて返信する許可返信部４０２と、前記要求受信部４０１で受信した発行要求情報に基づく店舗毎の割引クーポンの発行額を当該店舗を識別する店舗識別子に関連付けて記憶する履歴記憶部４０３と、前記履歴記憶部４０３に記憶した割引クーポンの発行額を参照して店舗毎の請求金を算出する請求金算出部４０４とを具備する駐車場システムを構成したため、各店舗が割引券をストックしておく必要がなく、駐車場の運営事業者が各店舗に頻繁に割引券を納入する必要もない。よって、割引券の購入に伴う店舗、駐車場運営事業者双方の事務処理負担が軽減される。その上で、ある店舗では買物金額５００円以上で駐車料金を１００円割引し、他の店舗では買物金額１０００円以上で駐車料金を２００円割引するというように、各店舗で自由に割引ルールを設定できる。さらに、特別セール期間中は割引クーポン額を引き上げる等、その時々に応じた設定変更も柔軟になし得る。また、複数店舗が入居する商業ビル、百貨店やショッピングモール等においては、顧客が幾つかの店舗で買物をし、それら店舗で個々に割引クーポンの発行を受けることができる。このとき、精算機３にて、顧客の記録媒体５に記憶された複数の割引クーポンの額を合算して駐車場利用額から割り引く処理が可能となる。
【００５１】
前記記録媒体５が電子マネー情報若しくはクレジットカード情報をも記憶し、または、前記記録媒体５と電子マネー情報若しくはクレジットカード情報を記憶する記録媒体とが同一物体に実装されており、前記精算機３が、電子マネー情報若しくはクレジットカード情報を記憶した記録媒体との交信を通じて前記収受料金算出部３０２で算出した収受料金を収受する料金収受部３０３をさらに具備しているため、精算機３が顧客の記録媒体５からクーポン情報を読み取るのと同時に電子マネー情報若しくはクレジットカード情報を読み取って料金収受処理を実行することができる。つまり、一度の読み取り操作で決済が完了することになり、顧客にとっての操作性、利便性が高まる。
【００５２】
加えて、前記店舗用端末１が、提携している駐車場を識別する駐車場識別子を記憶する提携駐車場記憶部１０４と、店舗を訪れた顧客の記録媒体５に書き込まれている駐車場識別子を読み出す駐車券読出部１０５とをさらに具備しており、前記駐車券読出部１０５で読み出した駐車場識別子が前記提携駐車場記憶部１０４に記憶した駐車場識別子の中に含まれていることを条件として、前記クーポン書込部１０８がクーポン情報を顧客の記録媒体５に書き込むものとしているため、顧客が店舗と提携関係にある駐車場を利用している場合にのみ割引クーポンを発行し、そうでなければ割引クーポンを発行しないようにすることができる。
【００５３】
本実施形態では、店舗用端末１が、センタサーバ４、駐車券発行機２及び精算機３と緊密に連携する必要がない。故に、既製のＰＤＡやパーソナルコンピュータ等に所要のプログラムをインストールして簡単に店舗用端末１を構築でき、また、インターネット等の汎用回線を介してセンタサーバ４にアクセス可能であれば、店舗は支障なく本駐車場システムに参加することができる。従って、比較的小規模な小売店や商店街等への導入にも好適である。
【００５４】
＜第２実施形態＞
第１実施形態では、割引クーポン発行の際の妥当性検証を専ら店舗用端末１にて行っていた。本実施形態では、妥当性検証をセンタサーバ４に委託する。以下、第１実施形態との相異点を重点的に説明する。第１実施形態と共通する部分については、説明を省略する。
【００５５】
本実施形態の店舗用端末１は、プログラムに従い上記ハードウェア資源を作動して、図１６に示している要求送信部１０１、許可受信部１０２、残高記憶部１０３、駐車券読出部１０５、確認要求送信部１１０、確認受信部１１１、入力受付部１０６、クーポン額記憶部１０７、クーポン書込部１０８、残高更新部１０９としての機能を発揮する。
【００５６】
確認要求送信部１１０は、割引クーポン発行に際して、妥当性検証を要求する確認要求情報をセンタサーバ４に向けて送信する。確認要求情報は、駐車券読出部１０５で読み出した駐車券情報に含まれる駐車場識別子と、自己が記憶保持する店舗識別子とを含む。
【００５７】
確認受信部１１１は、センタサーバ４から返信される確認情報を受信する。確認情報は、センタサーバ４において妥当性検証に成功した旨を示す。
【００５８】
本実施形態の店舗用端末１は、妥当性検証をセンタサーバ４に委託することから、提携駐車場のリストをダウンロードして保持せずともよく、提携駐車場記憶部１０４の機能を必須としない。
【００５９】
本実施形態のセンタサーバ４は、プログラムに従い上記ハードウェア資源を作動して、図１７に示している要求受信部４０１、許可返信部４０２、履歴記憶部４０３、請求金算出部４０４、提携駐車場記憶部４０５、確認要求受信部４０６、確認返信部４０７としての機能を発揮する。
【００６０】
確認要求受信部４０６は、店舗用端末１から送信される確認要求情報を受信する。
【００６１】
確認返信部４０７は、妥当性検証に成功した場合に、確認情報を店舗用端末１に向けて返信する。妥当性検証では、確認要求受信部４０６で受信した確認要求情報に含まれる駐車場識別子と店舗識別子とが、提携駐車場記憶部４０５で記憶しているマスタデータ上で関連付けられているか否かを判定する。両者が関連付けられているならば、顧客が利用している駐車場と割引クーポンを発行しようとしている店舗とが提携関係にあり、割引クーポン発行を許容すべく確認情報を返信する。
【００６２】
店舗用端末１が顧客に対して割引クーポンを発行する際の手順を、図１８に示す。店舗で買物をした顧客は、所持している記録媒体５を自身の手で、または店舗側の人間に手渡して、店舗用端末１に実装されたリーダ／ライタ１ｈにかざすか、あるいは挿入する。店舗用端末１はこれを受けて（ステップＳ４０１）、顧客の記録媒体５に記憶されている駐車券情報を読み出し（ステップＳ４０２）、未退場の駐車券情報が存在しているか否かを判定する（ステップＳ４０３）。存在していればさらに、その駐車券情報に含まれる駐車場識別子と、自己が記憶保持している店舗識別子とを確認要求情報としてセンタサーバ４に向けて送信する（ステップＳ７０１）。センタサーバ４は、確認要求情報を受信したとき（ステップＳ７０２）、その確認要求情報に含まれる店舗識別子に関連付けられている駐車場識別子（の組）をマスタデータから抽出する（ステップＳ７０３）。そして、確認要求情報に含まれる駐車場識別子が、マスタデータから抽出した駐車場識別子の中に存在しているか否かを判定する（ステップＳ７０４）。ステップＳ７０４を満足した暁には、その旨を示す確認情報を店舗用端末１に向けて返信する（ステップＳ７０５）。これを受信した（ステップＳ７０６）店舗用端末１は、店舗側の人間の手による、その時に発行する割引クーポン額の入力を受け付けて記憶する（ステップＳ４０５）。その後、入力された割引クーポンの額と発行可能残高とを比較して前者が後者を上回らなければ（ステップＳ４０６）、顧客の記録媒体５に、自己が記憶保持している店舗識別子及び割引クーポン額を、内蔵の計時回路から取得した現在日時のタイムスタンプとともにクーポン情報として書き込む（ステップＳ４０７）。さらに、店舗用端末１は、記憶保持している発行可能残高から、割引クーポン額分の値を減算する（ステップＳ４０８）。続いて、店舗用端末１は、顧客の記録媒体５に記憶されているクーポン情報を読み出し（ステップＳ４０９）、未使用の割引クーポンの総額を集計した上（ステップＳ４１０）、顧客向けメッセージを表示または音声出力する（ステップＳ４１１）。ステップＳ４０３、Ｓ７０６またはステップＳ４０６を満足しない場合、割引クーポンは発行されない。
【００６３】
店舗用端末１における発行可能残高のチャージ、駐車券発行機２における駐車券の発行、精算機３における精算及びセンタサーバ４における請求金の決定は、第１実施形態と同様に実施することができる。
【００６４】
本実施形態によれば、前記店舗用端末１が、店舗を訪れた顧客の記録媒体５に書き込まれている駐車場識別子を読み出す駐車券読出部１０５と、前記駐車券読出部１０５で読み出した駐車場識別子をセンタサーバ４に向けて送信する確認要求送信部１１０と、センタサーバ４から返信される確認情報を受信する確認受信部１１１とをさらに具備し、前記センタサーバ４が、提携している駐車場を識別する駐車場識別子を記憶する提携駐車場記憶部４０５と、店舗用端末１から送信される駐車場識別子を受信する確認要求受信部４０６と、前記確認要求受信部４０６で受信した駐車場識別子が前記提携駐車場記憶部４０５に記憶した駐車場識別子の中に含まれている場合にその旨を示す駐車場確認情報を店舗用端末１に向けて返信する確認返信部４０７とをさらに具備しており、店舗用端末１が前記駐車場確認情報を受信したことを条件として、前記クーポン書込部１０８がクーポン情報を顧客の記録媒体５に書き込むものとしているため、顧客が店舗と提携関係にある駐車場を利用している場合にのみ割引クーポンを発行し、そうでなければ割引クーポンを発行しないようにすることができる。
【００６５】
＜第３実施形態＞
第１、第２実施形態では、予め店舗用端末１に割引クーポンの発行可能残高をチャージさせ、そのチャージ分の対価をセンタサーバ４で集計していた。本実施形態では、顧客に対して割引クーポンを発行する都度各店舗の端末からセンタサーバ４にアクセスしてクーポン発行許可を得るようにし、実際に顧客に発行したクーポン分の対価をセンタサーバ４で集計する。以下、第１、第２実施形態との相異点を重点的に説明する。第１、第２実施形態と共通する部分については、説明を省略する。
【００６６】
本実施形態の店舗用端末１は、プログラムに従い上記ハードウェア資源を作動して、図１９に示している提携駐車場記憶部１０４、駐車券読出部１０５、入力受付部１０６、クーポン額記憶部１０７、要求送信部１０１、許可受信部１０２、クーポン書込部１０８としての機能を発揮する。
【００６７】
要求送信部１０１は、店舗を識別する店舗識別子と、入力受付部１０６で入力を受け付けてクーポン額記憶部１０７に記憶した割引クーポン額とを含む発行要求情報をセンタサーバ４に向けて送信する。第１実施形態における発行要求情報は割引クーポンの発行可能残高のチャージの許可を求めるものであったが、本実施形態における発行要求情報は顧客に対して割引クーポンを発行することへの許可を求めるものである。
【００６８】
許可受信部１０２は、センタサーバ４から返信される発行許可情報を受信する。この発行許可情報は、発行要求情報によって示された額の割引クーポンを顧客に対して発行することを許可する旨を示す。
【００６９】
クーポン書込部１０８は、許可受信部１０２で受信した発行許可情報に基づいて、割引クーポン額に相当するクーポン情報を顧客の所持する記録媒体５にリーダ／ライタ１ｈを介して書き込む。
【００７０】
本実施形態の店舗用端末１は、割引クーポンの発行可能残高のチャージを行わないことから、残高記憶部１０３及び残高更新部１０９の機能を必須としない。
【００７１】
本実施形態のセンタサーバ４は、プログラムに従い上記ハードウェア資源を作動して、図１７に示している要求受信部４０１、許可返信部４０２、履歴記憶部４０３、請求金算出部４０４、提携駐車場記憶部４０５としての機能を発揮する。
【００７２】
要求受信部４０１は、店舗用端末１から送信される発行要求情報を受信する。
【００７３】
許可返信部４０２は、要求受信部４０１で受信した発行要求情報に対する発行許可情報を店舗用端末１に向けて返信する。
【００７４】
履歴記憶部４０３は、要求受信部４０１で受信した発行要求情報に基づく店舗毎の割引クーポンの発行額を、店舗を識別する店舗識別子に関連付けて記憶する。即ち、各店舗が顧客に対して割引クーポンを発行した履歴を、メインメモリ４ｂまたは補助記憶デバイス４ｃに記憶する。本実施形態において、履歴情報は、
・店舗を識別する店舗識別子
・当該店舗における割引クーポンの発行日時（発行要求情報の受信日時または発行許可情報の送信日時）のタイムスタンプ
・発行した割引クーポンの額（原則として、発行要求情報に含まれる割引クーポンの額と同一）
等のフィールドを含む。
【００７５】
請求金算出部４０４は、履歴記憶部４０３に記憶した割引クーポンの発行額を参照して店舗毎の請求金を算出する。例えば、毎月の締め日に、その月間に発行した割引クーポンの総額を各店舗毎に集計し、必要であれば割引や手数料加算、税金加算等を施した上で各店舗に対する請求金とする。請求金算出部４０４で算出した請求金の情報及び／または履歴記憶部４０３に記憶している各店舗毎の履歴情報は、店舗用端末１に送信したり、ハードコピー出力したり、金融機関の決済系に送信して各店舗の口座から請求金を引き落としたりすることができる。
【００７６】
店舗用端末１が顧客に対して割引クーポンを発行する際の手順を、図２０に示す。店舗で買物をした顧客は、所持している記録媒体５を自身の手で、または店舗側の人間に手渡して、店舗用端末１に実装されたリーダ／ライタ１ｈにかざすか、あるいは挿入する。店舗用端末１はこれを受けて（ステップＳ４０１）、顧客の記録媒体５に記憶されている駐車券情報を読み出し（ステップＳ４０２）、妥当性検証を行う。即ち、未退場の駐車券情報が存在しているか否かを判定し（ステップＳ４０３）、存在していればさらにその駐車券情報に含まれる駐車場識別子が提携駐車場のリスト中に存在しているか否かを判定する（ステップＳ４０４）。ステップＳ４０４を満足した暁には、店舗側の人間の手による、その時に発行する割引クーポン額の入力を受け付けて記憶する（ステップＳ４０５）。その後、センタサーバ４に向けて、発行要求情報を送信する（ステップＳ８０１）。発行要求情報は、店舗用端末１が記憶保持する店舗識別子及び店舗が発行しようとする割引クーポンの額を含む。センタサーバ４は、発行要求情報を受信したとき（ステップＳ８０２）、その発行要求情報に含まれる店舗識別子及び割引クーポンの額を、内蔵の計時回路から取得した現在日時のタイムスタンプとともに履歴情報として記憶する（ステップＳ８０３）。そして、ステップＳ８０３と相前後して、発行許可情報を店舗用端末１に向けて返信する（ステップＳ８０４）。これを受信した（ステップＳ８０５）店舗用端末１は、顧客の記録媒体５に、自己が記憶保持している店舗識別子及び割引クーポン額を、内蔵の計時回路から取得した現在日時のタイムスタンプとともにクーポン情報として書き込む（ステップＳ４０７）。続いて、店舗用端末１は、顧客の記録媒体５に記憶されているクーポン情報を読み出し（ステップＳ４０９）、未使用の割引クーポンの総額を集計した上（ステップＳ４１０）、顧客向けメッセージを表示または音声出力する（ステップＳ４１１）。ステップＳ４０３、Ｓ４０４またはステップＳ８０５を満足しない場合、割引クーポンは発行されない。
【００７７】
センタサーバ４が各店舗に対する請求金を決定する際の手順を、図２１に示す。センタサーバ４は、各店舗が行った、顧客に対する割引クーポンの発行に係る履歴情報を参照して、所定期間例えば月間の割引クーポンの発行総額を店舗識別子毎に集計する（ステップＳ８０６）。そして、その総額に、割引や手数料加算、税金加算等を施した上で各店舗に対する最終的な請求金を算出する（ステップＳ６０２）。この請求金の情報は、例えばウェブページや電子メール等の形態で店舗用端末１に向けて送信し（ステップＳ６０３）、店舗側による閲覧、確認に供する。
【００７８】
駐車券発行機２における駐車券の発行及び精算機３における精算は、第１、第２実施形態と同様に実施することができる。
【００７９】
また、本実施形態では、第１実施形態と同様、割引クーポン発行の際の妥当性検証を店舗用端末１にて行っていたが、第２実施形態のように妥当性検証をセンタサーバ４に委託することも可能である。
【００８０】
本実施形態によれば、店舗用端末１が、一の顧客に一時に発行する割引クーポン額の入力を受け付ける入力受付部１０６と、前記入力受付部１０６で入力を受け付けた割引クーポン額を記憶するクーポン額記憶部１０７と、店舗を識別する店舗識別子及び前記クーポン額記憶部１０７に記憶した割引クーポン額を含む発行要求情報をセンタサーバ４に向けて送信する要求送信部１０１と、センタサーバ４から返信される発行許可情報を受信する許可受信部１０２と、前記許可受信部１０２で受信した発行許可情報に基づいて割引クーポン額に相当するクーポン情報を店舗を訪れた顧客の記録媒体５に書き込むクーポン書込部１０８とを具備し、精算機３が、駐車場を利用した顧客の記録媒体５に書き込まれているクーポン情報を読み出すクーポン読出部３０１と、前記クーポン読出部３０１で読み出したクーポン情報に対応した割引額を駐車場利用額から割り引いて顧客から収受すべき料金を算出する収受料金算出部３０２とを具備し、センタサーバ４が、店舗用端末１から送信される発行要求情報を受信する要求受信部４０１と、前記要求受信部４０１で受信した発行要求情報に対する発行許可情報を店舗用端末１に向けて返信する許可返信部４０２と、前記要求受信部４０１で受信した発行要求情報に基づく店舗毎の割引クーポンの発行額を当該店舗を識別する店舗識別子に関連付けて記憶する履歴記憶部４０３と、前記履歴記憶部４０３に記憶した割引クーポンの発行額を参照して店舗毎の請求金を算出する請求金算出部４０４とを具備する駐車場システムを構成したため、各店舗が割引券をストックしておく必要がなく、駐車場の運営事業者が各店舗に頻繁に割引券を納入する必要もない。よって、割引券の購入に伴う店舗、駐車場運営事業者双方の事務処理負担が軽減される。その上で、各店舗で自由に割引ルールを設定でき、さらに、特別セール期間中は割引クーポン額を引き上げる等、その時々に応じた設定変更も柔軟になし得る。また、複数店舗が入居する商業ビル、百貨店やショッピングモール等においては、顧客が幾つかの店舗で買物をし、それら店舗で個々に割引クーポンの発行を受けることができる。このとき、精算機３にて、顧客の記録媒体５に記憶された複数の割引クーポンの額を合算して駐車場利用額から割り引く処理が可能となる。
【００８１】
＜第４実施形態＞
第１、第２、第３実施形態では、店舗用端末１からセンタサーバ４にもたらされる発行要求情報を基に、各店舗に対する請求金を決定していた。本実施形態では、料金収受を完遂した精算機３からセンタサーバ４にもたらされる利用情報を基に、各店舗に対する請求金を決定する。以下、第１、第２、第３実施形態との相異点を重点的に説明する。第１、第２、第３実施形態と共通する部分については、説明を省略する。
【００８２】
本実施形態の店舗用端末１は、プログラムに従い上記ハードウェア資源を作動して、図２２に示している提携駐車場記憶部１０４、駐車券読出部１０５、入力受付部１０６、クーポン額記憶部１０７、クーポン書込部１０８としての機能を発揮する。
【００８３】
本実施形態の店舗用端末１は、発行要求情報をセンタサーバ４に向けて送信せず、発行許可情報を受信しない、換言すればセンタサーバ４に発行可能残高のチャージ／割引クーポンの発行の許可を求めないことから、要求送信部１０１、許可受信部１０２、残高記憶部１０３、残高更新部１０９の機能を必須としない。
【００８４】
本実施形態の精算機３は、プログラムに従い上記ハードウェア資源を作動して、図２３に示しているクーポン読出部３０１、収受料金算出部３０２、料金収受部３０３、利用情報書込部３０４、利用情報送信部３０５としての機能を発揮する。
【００８５】
利用情報送信部３０５は、料金収受部３０３における料金収受後、利用情報を、センタサーバ４に向けて送信する。既述の通り、利用情報は、
・駐車場識別子
・退場日時のタイムスタンプ
・駐車場利用額
・駐車料金の割引に使用した一または複数のクーポン情報（使用済みフラグを除く）
・割引総額
等のフィールドを含む。
【００８６】
本実施形態のセンタサーバ４は、プログラムに従い上記ハードウェア資源を作動して、図２４に示している利用情報受信部４０８、履歴記憶部４０３、請求金算出部４０４、提携駐車場記憶部４０５としての機能を発揮する。
【００８７】
利用情報受信部４０８は、精算機３から送信される利用情報を受信する。
【００８８】
履歴記憶部４０３は、利用情報受信部４０８で受信した利用情報に基づく店舗毎の割引クーポンの発行額を、店舗を識別する店舗識別子に関連付けて記憶する。即ち、各店舗が顧客に対して発行した割引クーポンが駐車料金の割引に使用された履歴を、メインメモリ４ｂまたは補助記憶デバイス４ｃに記憶する。本実施形態では、受信した利用情報をそのまま履歴情報として蓄積するようにしている。
【００８９】
請求金算出部４０４は、履歴記憶部４０３に記憶した割引クーポンの発行額を参照して店舗毎の請求金を算出する。例えば、毎月の締め日に、その月間に実際に使用された割引クーポンの総額を各店舗毎に集計し、必要であれば割引や手数料加算、税金加算等を施した上で各店舗に対する請求金とする。請求金算出部４０４で算出した請求金の情報及び／または履歴記憶部４０３に記憶している各店舗毎の履歴情報は、店舗用端末１に送信したり、ハードコピー出力したり、金融機関の決済系（図示せず）に送信して各店舗の口座から請求金を引き落としたりすることができる。
【００９０】
本実施形態のセンタサーバ４は、発行要求情報を受信せず、発行許可情報を店舗用端末１に向けて返信しないことから、要求受信部４０１、許可返信部４０２の機能を必須としない。
【００９１】
店舗用端末１が顧客に対して割引クーポンを発行する際の手順を、図２５に示す。店舗で買物をした顧客は、所持している記録媒体５を自身の手で、または店舗側の人間に手渡して、店舗用端末１に実装されたリーダ／ライタ１ｈにかざすか、あるいは挿入する。店舗用端末１はこれを受けて（ステップＳ４０１）、顧客の記録媒体５に記憶されている駐車券情報を読み出し（ステップＳ４０２）、妥当性検証を行う。即ち、未退場の駐車券情報が存在しているか否かを判定し（ステップＳ４０３）、存在していればさらにその駐車券情報に含まれる駐車場識別子が提携駐車場のリスト中に存在しているか否かを判定する（ステップＳ４０４）。ステップＳ４０４を満足した暁には、店舗側の人間の手による、その時に発行する割引クーポン額の入力を受け付けて記憶する（ステップＳ４０５）。その後、顧客の記録媒体５に、自己が記憶保持している店舗識別子及び割引クーポン額を、内蔵の計時回路から取得した現在日時のタイムスタンプとともにクーポン情報として書き込む（ステップＳ４０７）。続いて、店舗用端末１は、顧客の記録媒体５に記憶されているクーポン情報を読み出し（ステップＳ４０９）、未使用の割引クーポンの総額を集計した上（ステップＳ４１０）、顧客向けメッセージを表示または音声出力する（ステップＳ４１１）。ステップＳ４０３またはＳ４０４を満足しない場合、割引クーポンは発行されない。
【００９２】
精算機３が駐車料金を顧客から収受する際の手順を、図２６に示す。駐車場から退場する顧客は、所持している記録媒体５を、精算機３に実装されたリーダ／ライタ３ｉにかざすか、あるいは挿入する。精算機３はこれを受けて（ステップＳ５０１）、顧客の記録媒体５に記憶されている駐車券情報を読み出し（ステップＳ５０２）、駐車券情報に含まれる入場日時と内蔵の計時回路から取得した現在日時とから、駐車場の利用時間ひいては利用額を算出する（ステップＳ５０３）。並びに、顧客の記録媒体５に記憶されているクーポン情報を読み出し（ステップＳ５０４）、未使用の割引クーポンの総額を集計した上（ステップＳ５０５）これを駐車場利用額から減算して収受すべき料金を算出する（ステップＳ５０６）。そして、算出した料金を収受する（ステップＳ５０７）。料金の収受を終えたら、利用情報の記録処理を行う（ステップＳ５０８）。ステップＳ５０８では、顧客の記録媒体５に利用情報を書き込み、駐車券情報の退場済みフラグをオンに書き換えるかまたは駐車券情報を消去する。併せて、割引に使用したクーポン情報の使用済みフラグをオンに書き換えるかまたはそのクーポン情報を消去する。さらに、今回の料金収受に係る利用情報を、センタサーバ４に向けて送信する（ステップＳ９０１）。センタサーバ４は、利用情報を受信したとき（ステップＳ９０２）、その利用情報を履歴情報として記憶する（ステップＳ９０３）。しかる後、退場ゲート７に制御信号を入力して退場ゲートを開く（ステップＳ５０９）。
【００９３】
センタサーバ４が各店舗に対する請求金を決定する際の手順を、図２７に示す。センタサーバ４は、割引クーポンの使用に係る履歴情報を参照して、所定期間例えば月間の実際の割引額の総額を店舗識別子毎に集計する（ステップＳ９０４）。そして、その総額に、割引や手数料加算、税金加算等を施した上で各店舗に対する最終的な請求金を算出する（ステップＳ６０２）。この請求金の情報は、例えばウェブページや電子メール等の形態で店舗用端末１に向けて送信し（ステップＳ６０３）、店舗側による閲覧、確認に供する。
【００９４】
駐車券発行機２における駐車券の発行は、第１、第２、第３実施形態と同様に実施することができる。
【００９５】
また、本実施形態では、第１実施形態と同様、割引クーポン発行の際の妥当性検証を店舗用端末１にて行っていたが、第２実施形態のように妥当性検証をセンタサーバ４に委託することも可能である。
【００９６】
本実施形態によれば、店舗用端末１が、一の顧客に一時に発行する割引クーポン額の入力を受け付ける入力受付部１０６と、前記入力受付部１０６で入力を受け付けた割引クーポン額を記憶するクーポン額記憶部１０７と、店舗を識別する店舗識別子及び前記クーポン額記憶部１０７に記憶した割引クーポン額に相当するクーポン情報を店舗を訪れた顧客の記録媒体５に書き込むクーポン書込部１０８とを具備し、精算機３が、駐車場を利用した顧客の記録媒体５に書き込まれているクーポン情報を読み出すクーポン読出部３０１と、前記クーポン読出部３０１で読み出したクーポン情報に対応した割引額を駐車場利用額から割り引いて顧客から収受すべき料金を算出する収受料金算出部３０２と、前記クーポン読出部３０１で読み出したクーポン情報をセンタサーバ４に向けて送信する利用情報送信部３０５とを具備し、センタサーバ４が、精算機３から送信されるクーポン情報を受信する利用情報受信部４０８と、前記利用情報受信部４０８で受信したクーポン情報に基づく店舗毎の割引クーポンの発行額を当該店舗を識別する識別子に関連付けて記憶する履歴記憶部４０３と、前記履歴記憶部４０３に記憶した割引クーポンの発行額を参照して店舗毎の請求金を算出する請求金算出部４０４とを具備する駐車場システムを構成したため、各店舗が割引券をストックしておく必要がなく、駐車場の運営事業者が各店舗に頻繁に割引券を納入する必要もない。よって、割引券の購入に伴う店舗、駐車場運営事業者双方の事務処理負担が軽減される。その上で、各店舗で自由に割引ルールを設定でき、さらに、特別セール期間中は割引クーポン額を引き上げる等、その時々に応じた設定変更も柔軟になし得る。また、複数店舗が入居する商業ビル、百貨店やショッピングモール等においては、顧客が幾つかの店舗で買物をし、それら店舗で個々に割引クーポンの発行を受けることができる。このとき、精算機３にて、顧客の記録媒体５に記憶された複数の割引クーポンの額を合算して駐車場利用額から割り引く処理が可能となる。
【００９７】
なお、本発明は以上に詳述した実施形態に限られるものではない。特に、割引クーポンの発行可能残高のチャージ／割引クーポンの発行の際の妥当性検証は必須要件ではない。妥当性検証の手続を省く場合、店舗用端末１からセンタサーバ４にアクセスする機会を減らすことができる（第４実施形態では完全になくすることができる）ので、小規模な小売店や商店街等への導入にますます好都合となる。妥当性検証を、駐車料金の精算時に、精算機３において実施するようにしても構わない。
【００９８】
その他、各部の具体的構成や処理の手順等は、本発明の趣旨を逸脱しない範囲で種々変形が可能である。
【図面の簡単な説明】
【００９９】
【図１】本発明の駐車場システムの全体概要を示す図。
【図２】店舗用端末のハードウェア資源構成を示す図。
【図３】店舗用端末の機能ブロック図。
【図４】駐車券発行機のハードウェア資源構成を示す図。
【図５】駐車券発行機の機能ブロック図。
【図６】精算機のハードウェア資源構成を示す図。
【図７】精算機の機能ブロック図。
【図８】センタサーバのハードウェア資源構成を示す図。
【図９】センタサーバの機能ブロック図。
【図１０】プログラムに従い実行する手順例を示すフローチャート。
【図１１】プログラムに従い実行する手順例を示すフローチャート。
【図１２】プログラムに従い実行する手順例を示すフローチャート。
【図１３】プログラムに従い実行する手順例を示すフローチャート。
【図１４】プログラムに従い実行する手順例を示すフローチャート。
【図１５】プログラムに従い実行する手順例を示すフローチャート。
【図１６】店舗用端末の機能ブロック図。
【図１７】センタサーバの機能ブロック図。
【図１８】プログラムに従い実行する手順例を示すフローチャート。
【図１９】店舗用端末の機能ブロック図。
【図２０】プログラムに従い実行する手順例を示すフローチャート。
【図２１】プログラムに従い実行する手順例を示すフローチャート。
【図２２】店舗用端末の機能ブロック図。
【図２３】精算機の機能ブロック図。
【図２４】センタサーバの機能ブロック図。
【図２５】プログラムに従い実行する手順例を示すフローチャート。
【図２６】プログラムに従い実行する手順例を示すフローチャート。
【図２７】プログラムに従い実行する手順例を示すフローチャート。
【符号の説明】
【０１００】
１…店舗用端末
２…駐車券発行機
３…精算機
４…センタサーバ
５…記録媒体
【図１】
2009116676.tif 000003
【図２】
2009116676.tif 000004
【図３】
2009116676.tif 000005
【図４】
2009116676.tif 000006
【図５】
2009116676.tif 000007
【図６】
2009116676.tif 000008
【図７】
2009116676.tif 000009
【図８】
2009116676.tif 000010
【図９】
2009116676.tif 000011
【図１０】
2009116676.tif 000012
【図１１】
2009116676.tif 000013
【図１２】
2009116676.tif 000014
【図１３】
2009116676.tif 000015
【図１４】
2009116676.tif 000016
【図１５】
2009116676.tif 000017
【図１６】
2009116676.tif 000018
【図１７】
2009116676.tif 000019
【図１８】
2009116676.tif 000020
【図１９】
2009116676.tif 000021
【図２０】
2009116676.tif 000022
【図２１】
2009116676.tif 000023
【図２２】
2009116676.tif 000024
【図２３】
2009116676.tif 000025
【図２４】
2009116676.tif 000026
【図２５】
2009116676.tif 000027
【図２６】
2009116676.tif 000028
【図２７】
2009116676.tif 000029